(57)【要約】      （修正有）【課題】走行中に操作者が安定した姿勢をとることができるスクータを提供する。【解決手段】ハンドル１１０と、ハンドル１１０を回転可能に支持するハンドル支持体１２０と、ボード１３０とを備えたスクータ１００であって、ハンドル支持体１２０がフットプレート１０を備えたものである。フットプレート１０は、ハンドル支持体１２０に対してスクータ１００の左側の方向に延びている。【選択図】図１
0003223072.tif 000002
【実用新案登録請求の範囲】
【請求項１】
ハンドルと、
前記ハンドルを回転可能に支持するハンドル支持体と、
ボードと
を備えたスクータであって、
前記ハンドル支持体がフットプレートを備える、スクータ。
【請求項２】
前記フットプレートは、前記ハンドル支持体から左右いずれか一方の方向に延びている、請求項１に記載のスクータ。
【請求項３】
前記ハンドル支持体は、前記ハンドルを挿通可能な筒部と前記ボードとの接続部とを含み、
前記フットプレートは、前記接続部に設けられる、請求項１または請求項２に記載のスクータ。
【請求項４】
前記フットプレートは、前記ハンドル支持体に着脱可能に取り付けられる、請求項１〜請求項３のいずれか一項に記載のスクータ。
【請求項５】
前記フットプレートは、折り畳み可能なように構成されている、請求項１〜請求項４のいずれか一項に記載のスクータ。
【考案の詳細な説明】
【技術分野】
【０００１】
本考案は、スクータに関し、特に、フットプレートを備えたスクータに関するものである。
【背景技術】
【０００２】
従来から遊戯用乗り物としてローラースケート、スケートボード、キックスクータなどがあるが、その中でも、ハンドル操作が可能であるキックスクータは、自転車に似た感覚で乗ることができ、ローラースケートやスケートボードよりも扱いが簡単なことから、近年、レジャーやスポーツなどで自転車代わりの手軽な移動手段として注目されている。
【０００３】
例えば、特許文献１にはこのようなスクータとして、操作者がスクータの本体部分に載せた軸足で体重を支え、軸足でない足で地面を蹴った反動でスクータを前進させるものが開示されている。
【先行技術文献】
【特許文献】
【０００４】
【特許文献１】特開２０１０−２７３９０４号公報
【考案の概要】
【考案が解決しようとする課題】
【０００５】
ところが、このようなスクータは、走行時に操作者が姿勢を安定性よく保つことが簡単ではなかった。
【０００６】
すなわち、スクータでは、通常は、軸足でない足は、キックスクータには載せずに、地面をキックするとき以外は宙に浮かした状態にしておく。ところが、その場合、キックスクータに載せた軸足だけで身体のバランスをとることとなるため、スクータの走行状態で身体のバランスを取るのが難しい。そのため、走行中に操作者が安定した姿勢をとることは困難であった。
【０００７】
本考案は、走行中に操作者が安定した姿勢をとることができるスクータを得ることを目的とする。
【課題を解決するための手段】
【０００８】
（項目１）
本考案は、以下の項目を提供する。
【０００９】
ハンドルと、
前記ハンドルを回転可能に支持するハンドル支持体と、
ボードと
を備えたスクータであって、
前記ハンドル支持体がフットプレートを備える、スクータ。
【００１０】
（項目２）
前記フットプレートは、前記ハンドル支持体から左右いずれか一方の方向に延びている、項目１に記載のスクータ。
【００１１】
（項目３）
前記ハンドル支持体は、前記ハンドルを挿通可能な筒部と前記ボードとの接続部とを含み、
前記フットプレートは、前記接続部に設けられる、項目１または項目２に記載のスクータ。
【００１２】
（項目４）
前記フットプレートは、前記ハンドル支持体に着脱可能に取り付けられる、項目１〜項目３のいずれか一項に記載のスクータ。
【００１３】
（項目５）
前記フットプレートは、折り畳み可能なように構成されている、項目１〜項目４のいずれか一項に記載のスクータ。
【考案の効果】
【００１４】
本考案によれば、走行中に操作者が安定したな姿勢をとることができるスクータを得ることができる。
【図面の簡単な説明】
【００１５】
【図１】図１は、本考案の実施形態１のキックスクータ１００を説明するための図であり、図１（ａ）は、キックスクータ１００を左側から見た図であり、図１（ｂ）はキックスクータを前から見た図であり、図１（ｃ）はキックスクータ１０を上から見た図である。
【図２】図２は、図１に示されるフットプレート１０の具体的な構造を説明するための斜視図であり、図２（ａ）は、図１のフットプレート１０をキックスクータ１００の前方左上から見た図であり、図２（ｂ）は、図１のフットプレート１０をキックスクータ１００の後方左下から見た図である。
【図３】図３は、図１に示す本考案のキックスクータ１００に操作者Ｐａが載っている状態（図３（ａ））と、従来のキックスクータ１００ａに操作者Ｐａが載っている状態（図３（ｂ））とを対比して概略的に示す斜視図である。
【考案を実施するための形態】
【００１６】
以下、本考案を説明する。本明細書において使用される用語は、特に言及しない限り、当該分野で通常用いられる意味で用いられることが理解されるべきである。したがって、他に定義されない限り、本明細書中で使用される全ての専門用語および科学技術用語は、本考案の属する分野の当業者によって一般的に理解されるのと同じ意味を有する。矛盾する場合、本明細書（定義を含めて）が優先する。
【００１７】
本考案は、走行中に操作者が安定した姿勢をとることができるキックスクータを得ることを課題とし、
ハンドルと、
ハンドルを回転可能に支持するハンドル支持体と、
ボードと
を備えたスクータであって、
ハンドル支持体がフットプレートを備える、スクータを提供することによって、上記課題を解決した。
【００１８】
ここで、ボードは、操作者が軸足を載せる部分であり、フットプレートは、操作者が軸足でない足を載せる部分である。
【００１９】
すなわち、本考案のスクータは、ハンドルを支持するハンドル支持体がフットプレートを備えることにより、軸足でない足もスクータに載せることが可能となる。これにより、操作者がスクータの走行状態で身体のバランスを取り易くなり、その結果、走行中に操作者が安定した姿勢をとることができる。
【００２０】
従って、１つの実施形態において、本考案のスクータは、ハンドル支持体がフットプレートを備えるものであれば、その他の構成は任意であり得る。
【００２１】
例えば、フットプレートは、ハンドル支持体から左右いずれか一方の方向に延びているものでもよいし、あるいは、フットプレートは、ハンドル支持体から前後いずれか一方方向に延びているものでもよい。
【００２２】
ハンドル支持体は、ハンドルを挿通可能な筒部とボードとの接続部とを含んでいる。フットプレートは、ハンドル支持体を構成する接続部に設けられていてもよいし、フットプレートがハンドル支持体を構成する筒部に設けられていてもよい。
【００２３】
また、フットプレートは、ハンドル支持体に着脱可能に取り付けられていてもよいし、ハンドル支持体と一体成形されていてもよいし、ハンドル支持体に溶接などで固着されていてもよい。フットプレートのハンドル支持体への着脱可能な取り付け手段は任意であり得る。例えば、ボルトおよびナットまたは、ピン係合などの締結手段であってもよいし、磁石による固定であってもよい。
【００２４】
また、フットプレートは、スクータに乗らずに持ち運ぶなどの際に邪魔にならないように折り畳み可能なように構成されていてもよい。折り畳みの構造は任意の形態であり得る。例えば、ヒンジを用いた回動機構などであるが、本考案はこれに限定されない。
【００２５】
また、フットプレートの構造は、足を載せるための部材（プレート本体）と、この部材をハンドル支持体に接続する部材（プレート固定部材）とを有するものでもよいし、足を載せるための部材を直接ハンドル支持体に固定したものでもよい。
【００２６】
また、足を載せる部材（プレート本体）の形状は任意であり得る。例えば、板状であってもよいし、棒状であってもよい。例えば、板状の場合、矩形状であってもよいし、円板状であってもよいし、また足の形状に沿った小判状であってもよい。。
【００２７】
フットプレートの材料は、ステンレス、鉄、アルミニウム、真鍮などの金属でもよいし、あるいはプラスチックやセラミックなどでもよい。
【００２８】
さらに、スクータは、操作者が軸足でない足で地面を蹴った反動でスクータを前進させるもの（キックスクータ）でもよいし、スクータを前進させるモータやエンジンなどの動力源を有するものでもよい。また、持ち運びしやすいようにハンドル支持体が折り畳み可能なものであってもよい。
【００２９】
ただし、以下の実施形態では、スクータとして、フットプレートは、ハンドル支持体からキックスクータの左方向に延び、ハンドル支持体がハンドルを挿通可能な筒部とボードとの接続部とを含み、フットプレートがハンドル支持体の接続部に着脱可能に設けられているキックスクータを挙げて説明する。
【００３０】
（実施形態１）
図１は、本考案の実施形態１のキックスクータ１００を説明するための図であり、図１（ａ）は、キックスクータ１００を左側から見た図であり、図１（ｂ）はキックスクータを前から見た図であり、図１（ｃ）はキックスクータ１０を上から見た図である。
【００３１】
本実施形態１のキックスクータ１００は、ハンドル１１０と、ハンドル１１０を回転可能に支持するハンドル支持体１２０と、ボード１３０とを備えている。このキックスクータ１００では、ハンドル支持体１２０がフットプレート１０を備えている。ここで、フットプレート１０は、ハンドル支持体１２０に対してキックスクータ１００の左側方向に延びている。但し、フットプレート１０は、ハンドル支持体１２０に対して右側方向に延びていてもよいし、前方側あるいは後方側に伸びていてもよい。
【００３２】
ここで、ボード１３０は、操作者が軸足を載せる部分であり、フットプレート１０は、操作者が軸足でない足を載せる部分である。ボード１３０は一般に樹脂材料で構成されているが、ステンレスや鉄などの金属材料で構成されていてもよい。
【００３３】
ハンドル１１０は、伸縮シャフト１１２と、伸縮シャフト１１２の上端に取り付けられたハンドル把持部１１１と、伸縮シャフト１１２の下端側を出没可能に収容するシャフト収容筒体１１４と、シャフト収容筒体１１４に対して伸縮シャフト１１２を固定するロック部材１１３とを有し、シャフト収容筒体１１４の下端には前輪１０１が取り付けられている。このロック部材１１３は、操作者の体形に合わせてハンドル把持部１１１の高さを調整する際、シャフト収容筒体１１４から伸縮シャフト１１２を適切な長さだけ引き出した状態でシャフト収容筒体１１４に対して伸縮シャフト１１２を固定するものである。
【００３４】
ハンドル１１０は、ハンドル把持部１１１の操作により伸縮シャフト１１２およびシャフト収容筒体１１４が回動することで前輪１０１の向きを変更可能な構成となっている。なお、ハンドル１１０を構成する部材は、一般にステンレスや鉄などの金属材料で構成されているが、樹脂材料で構成されていてもよい。
【００３５】
ハンドル支持体１２０は、ハンドル１１０のシャフト収容筒体１１４を挿通可能な筒部１２０ａと、ボード１３０と筒部１２０ａとを接続する接続部１２０ｂとをさらに有し、筒部１２０ａに挿通されたシャフト収容筒体１１４は、筒部１２０ａに対して回転可能に保持されるように構成されている。接続部１２０ｂは、ボード１３０の前端部に固定された固定片１２１と、キックスクータ１００の左右方向に沿った軸の周りで回動可能となるように固定片１２１に対して取り付けられた可動片１２２とを有し、可動片１２２は、シャフト主要筒体１１４が挿通される筒部１２０ａに取り付けられている。
【００３６】
このような構成とすることで、キックスクータは折り畳み可能となる。
なお、ハンドル支持体１２０を構成する部材は、一般にステンレスや鉄などの金属材料で構成されているが、樹脂材料で構成されていてもよい。
【００３７】
なお、ボード１３０の後端部には後輪１０２が取り付けられ、さらに、後輪１０２に対してブレーキを掛けるためのブレーキ１０３が取り付けられている。このブレーキ１０３は、操作者が軸足でない足で押さえることでブレーキ１０３が後輪１０２に接することとなり、後輪１０２に対するブレーキがかかるようになっている。
【００３８】
次に、フットプレート１０の具体的な構造を説明する。
【００３９】
図２は、図１に示されるフットプレート１０の具体的な構造を説明するための斜視図であり、図２（ａ）は、図１のフットプレート１０をキックスクータ１００の前方左上から見た図であり、図２（ｂ）は、図１のフットプレート１０をキックスクータ１００の後方左下から見た図である。
【００４０】
フットプレート１０は、操作者が軸足ではない足を載せるプレート本体１１と、プレート本体１１を接続部１２０ｂに固定するためのプレート固定部１２とを有する。
【００４１】
ここで、プレート固定部１２は、対向する一対の側壁部１２ａ、１２ｂと、両側壁部１２ａおよび１２ｂに繋がる上板部１２ｃとを有する。このようにプレート固定部１２を一対の側壁部１２ａ、１２ｂとこれらを繋ぐ上板部１２ｃとで構成することにより、固定部１２は、一対の側壁部１２ａ、１２ｂの間に他の部材を挟持可能なコ字型形状となり、接続部１２０ｂに対する固定を、一対の側壁部１２ａ、１２ｂの間に接続部１２０ｂを挟み込むことで簡単に行うことができる。
【００４２】
また、図２（ａ）の左側（キックスクータの正面から見て左側）の側壁部１２ａには、接続部１２０ｂに出没可能に設けられているピン（図示せず）が挿入されるピン挿入孔１２ｄが形成されている。このピン挿入孔１２ｄへのピンの挿入による係合および挿入解除による係合解除によりフットプレート１０が接続部１２０ｂに対して着脱可能となっている。ただし、フットプレート１０は接続部１２０ｂに対して着脱可能ではなく、接続部１２０ｂに固定されていてもよい。
【００４３】
また、プレート本体１１は、図２（ａ）の右側（キックスクータの正面から見て右側）の側壁部１２ｂに接合された平板部１１ａと、平板部１１ａの下面側に設けられた対向する一対の補強リブ部１１ｂとを含み、補強リブ部１１ｂの内側端部が側壁部１２ｂに接合されている。このような補強リブ部１１ｂが形成されていることで、キックスクータ１００の走行中など操作者が身体のバランスをとるために、軸足でない足でフットプレート１０を強く踏みつけた場合でもフットプレート１０が破損するのを回避あるいは抑制することができる。
【００４４】
なお、ここでは、プレート本体１１の平板部１１ａが、プレート固定部１２の側壁部１２ｂに固定されているので、フットプレート１０は折り畳み不可能であるが、フットプレート１０は折り畳み可能に構成してもよい。例えば、プレート固定部１２にヒンジなどの回動機構を設けることにより、プレート本体１１をプレート固定部１２に対して回動可能に取り付けることで、フットプレート１０は、プレート本体１１がプレート固定部１２に対して折り畳み可能なものとできる。
【００４５】
次に実施形態１のキックスクータ１００の使用方法を説明する。
【００４６】
図３は、図１に示す本考案のキックスクータ１００に操作者Ｐａが載っている状態（図３（ａ））と、従来のキックスクータ１００ａに操作者Ｐａが載っている状態（図３（ｂ））とを対比して概略的に示す斜視図である。
【００４７】
図１に示すようにフットプレート１０を備えた本考案のキックスクータ１００では、図３（ａ）に示すように、操作者Ｐａは、キックスクータ１０で走行中に軸足（右足）Ｒｆをキックスクータ１００のボード１３０上に載せ、軸足以外の足（左足）Ｌｆをフットプレート１０に載せることができる。このとき、操作者Ｐａは、両手Ｒｈ、Ｌｈでハンドル把持部１１１を握っているので、自身の身体をボード１３０、フットプレート１０、およびハンドル１１０の３箇所で支持することができ、走行中に操作者が安定した姿勢をとることができる。その結果、走行中に操作者がバランスよく安定した乗り心地を得ることができる。
【００４８】
また、フットプレート１０に足を載せているので、例えば、走行面の段差などにより前輪が前のめりになるなどして操作者Ｐａがバランスを崩しそうになった際に、フットプレート１０に載せている足で踏ん張ることができ、その結果、身体を守ることが可能である。さらに、フットプレート１０はハンドル支持体に設けられているため、フットプレート１０に足を載せた際に、フットプレート１０に載せた足の内膝がハンドルに沿うことになり、身体とハンドル（スクータ）との一体感が得られる。その結果、操作におけるスクータと身体とのバランス性（身体の追従性）が向上し、特に旋回操作性を向上させることが可能となる。また、フットプレート１０に載せた足は、そのまま後方に移動させることで簡単スムーズにボード後方にあるブレーキ１０３に載せることが可能となる。その結果、より安全性を高めることが可能となる。
【００４９】
一方、フットプレート１０を有していない従来のキックスクータ１００ａでは、軸足以外の足（左足）Ｌｆを置く場所がないので、図３（ｂ）に示すように、軸足以外の足（左足）Ｌｆを浮かした状態にしておく必要がある。この場合、操作者Ｐａは、両手Ｒｈ、Ｌｈでハンドル把持部１１１を握っているが、自身の身体をボード１３０とハンドル１１０の２箇所でしか支持することができない。そのため、従来のキックスクータ１００ａでは、操作者Ｐａが走行中に本考案のキックスクータ１００におけるような安定性が得られず、安定した乗り心地が得られない。また、スクータとの一体感も得られないため、操作性が悪い。
【産業上の利用可能性】
【００５０】
本考案は、スクータの分野において、走行中に操作者が安定した姿勢をとることができるスクータを提供できるものとして有用である。
【符号の説明】
【００５１】
１０  フットプレート
１１  プレート本体
１２  プレート固定部材
１００  キックスクータ
１１０  ハンドル
１２０  ハンドル支持体
１３０  ボード
【図１】
0003223072.tif 000003
【図２】
0003223072.tif 000004
【図３】
0003223072.tif 000005